【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
コンピュータ実装方法であって、
回路のレイアウト設計を記述するレイアウト設計データ用の回路解析プロセスの解析プロセス・パラメータを決定するステップと、
前記解析プロセス・パラメータのうちの１又はそれ以上の解析プロセス・パラメータを、該１又はそれ以上の解析プロセス・パラメータに関連する回路解析情報を保存することによって、記録するステップと、
前記レイアウト設計データを修正して１又はそれ以上のマーカーを提供して、前記解析プロセス・パラメータのうちの１又はそれ以上の解析プロセス・パラメータを視覚的に識別するステップと、
を含む方法。
【請求項２】
前記回路解析プロセスを実行するステップをさらに含む、請求項１に記載の方法。
【請求項３】
前記回路解析プロセスが静電放電保護解析プロセスである、請求項１又は請求項２に記載の方法。
【請求項４】
前記決定された解析プロセス・パラメータのサブセットを識別するユーザー選択を受信するステップをさらに含み、
前記レイアウト設計データを修正するステップが、前記レイアウト設計データを修正して、前記解析プロセス・パラメータの前記選択されたサブセットのためのマーカーを提供するステップを含む、請求項１から請求項３のいずれか１項に記載の方法。
【請求項５】
前記解析プロセス・パラメータが、代表電流源の位置、代表電圧源の位置、代表電圧シンクの位置、ネット間接続の位置、又は、ショートグループの位置のうちの１つ以上を含む、請求項１から請求項４のいずれか１項に記載の方法。
【請求項６】
記録される前記回路解析情報が、ショートグループ内のデバイスの位置、前記ショートグループ内の前記デバイスの１つの一意的に識別する名前、又は、ショートグループの名前のうちの１つ以上を含む、請求項１から請求項５のいずれか１項に記載の方法。
【請求項７】
記録される前記回路解析情報が、前記回路解析を実行するために使用される電流源を表す幾何学的要素のコピー、前記回路解析を実行するために使用される電圧シンクを表す幾何学的要素のコピー、前記回路解析を実行するために使用されるネット間接続を表す幾何学的要素のコピー、又は、前記回路解析を実行するために使用されるショートグループを表す幾何学的要素のコピーのうちの１つ以上を含む、請求項１から請求項６のいずれか１項に記載の方法。
【請求項８】
記録される前記回路解析情報が、前記１又はそれ以上の回路解析プロセス・パラメータに言及するのに十分である、請求項１から請求項７のいずれか１項に記載の方法。
【請求項９】
前記記録するステップが、前記レイアウト設計データに注釈を付けて、前記回路解析プロセスを実行するために使用される解析プロセス・パラメータとして、１つ以上の幾何学的要素又は該幾何学的要素内の１つ以上の位置を識別するステップを含む、請求項１から請求項８のいずれか１項に記載の方法。
【請求項１０】
前記記録するステップが、前記解析プロセス・パラメータのうちの１又はそれ以上の解析プロセス・パラメータのためのコンテキスト情報を含むように前記レイアウト設計に注釈を付けるステップをさらに含む、請求項１から請求項９のいずれか１項に記載の方法。
【請求項１１】
前記コンテキスト情報が、タイプ識別子及びプロセス識別子を含む、請求項１０に記載の方法。
【請求項１２】
前記タイプ識別子によって識別されるタイプが、電流源、電圧源、電圧シンク、ネット間接続、又は、ショートグループのうちの１つである、請求項１１に記載の方法。
【請求項１３】
前記レイアウト設計データを修正して１又はそれ以上のマーカーを提供して、前記解析プロセス・パラメータのうちの１又はそれ以上の解析プロセス・パラメータを視覚的に識別するステップが、新しい設計対象又は新しいマーカーを含むように前記レイアウト設計データを修正して前記１又はそれ以上の解析プロセス・パラメータを識別するステップを含む、請求項１から請求項１２のいずれか１項に記載の方法。
【請求項１４】
前記レイアウト設計データを修正して１又はそれ以上のマーカーを提供して、前記解析プロセス・パラメータのうちの１又はそれ以上の解析プロセス・パラメータを視覚的に識別するステップが、既存の幾何学的要素の修正バージョンを含むように前記レイアウト設計データを修正して前記１又はそれ以上の解析プロセス・パラメータを識別するステップを含む、請求項１から請求項１２のいずれか１項に記載の方法。
【請求項１５】
異なる設計対象、マーカー又は色が、異なる種類の解析プロセス・パラメータに使用され、前記異なる種類の回路解析プロセス・パラメータが、電流源、電圧源、電圧シンク、ネット間接続、又は、ショートグループのうちの２つ以上を含む、請求項１から請求項１４のいずれか１項に記載の方法。
【請求項１６】
記録されマークされた前記解析プロセス・パラメータをユーザー・インタフェースを介して表示するステップをさらに含む、請求項１から請求項１５のいずれか１項に記載の方法。
【請求項１７】
前記レイアウト設計データによって記述された前記レイアウト設計を前記マーカーのうちの１又はそれ以上のマーカーとともに表示して、前記解析プロセス・パラメータのうちの１又はそれ以上の解析プロセス・パラメータを視覚的に識別するステップをさらに含む、請求項１から請求項１６のいずれか１項に記載の方法。
【請求項１８】
前記レイアウト設計データによって記述された前記レイアウト設計を記録されマークされた前記解析プロセス・パラメータと同時に表示するステップをさらに含む、請求項１から請求項１６のいずれか１項に記載の方法。
【請求項１９】
視覚的に識別するための前記解析プロセス・パラメータのうちの１又はそれ以上の解析プロセス・パラメータの選択を示すデータを受信するステップをさらに含み、前記レイアウト設計を表示するステップが、選択された前記解析プロセス・パラメータのために前記マーカーを前記レイアウト設計とともに表示するステップを含む、請求項１７又は請求項１８に記載の方法。
【請求項２０】
１又はそれ以上の以前に選択された解析プロセス・パラメータの選択解除を示すデータを受信するステップをさらに含み、前記レイアウト設計を表示するステップが、選択解除された前記解析プロセス・パラメータのために前記マーカーを前記レイアウト設計の表示上で非表示にするステップを含む、請求項１７又は請求項１８に記載の方法。
【請求項２１】
記録されマークされた前記解析プロセス・パラメータに少なくとも部分的に基づいて、前記回路設計のレイアウトをデバッグするステップをさらに含む、請求項１から請求項１７のいずれか１項に記載の方法。
【請求項２２】
レイアウト設計データをデバッグする方法であって、
レイアウト設計解析プロセスで使用されるパラメータを記録するステップと、
前記レイアウト設計データにおいて前記パラメータを視覚的に示すために前記レイアウト設計データを修正するステップと、
修正された前記レイアウト設計データを、該レイアウト設計データをデバッグする際に使用するために、表示するステップと、
を含む方法。
【請求項２３】
前記レイアウト設計解析プロセスが静電放電保護解析プロセスである、請求項２２に記載の方法。
【請求項２４】
前記パラメータが、代表電流源の位置、代表電圧源の位置、代表電圧シンクの位置、ネット間接続の位置、及び、ショートグループの位置からなる群から選択される、請求項２２又は請求項２３に記載の方法。
【請求項２５】
前記パラメータが、特定の代表電流源の位置、特定の代表電圧源の位置、特定の代表電圧シンクの位置、特定のネット間接続の位置、及び、特定のショートグループの位置からなる群から選択される、請求項２２から請求項２４のいずれか１項に記載の方法。
【請求項２６】
前記パラメータが該パラメータを保存することによって記録される、請求項２２から請求項２５のいずれか１項に記載の方法。
【請求項２７】
前記パラメータが、該パラメータに関連する前記レイアウト設計データ内に少なくとも１つの幾何学的要素のコピーを保存することによって記録される、請求項２２から請求項２５のいずれか１項に記載の方法。
【請求項２８】
前記パラメータが、前記レイアウト設計データに注釈を付けることによって記録される、請求項２２から請求項２５のいずれか１項に記載の方法。
【請求項２９】
前記レイアウト設計データに対する注釈は、前記パラメータのためのコンテキスト情報をさらに含む、請求項２８に記載の方法。
【請求項３０】
前記レイアウト設計解析プロセスで使用される複数の異なるパラメータを記録するステップと、
前記レイアウト設計データ内の前記異なるパラメータを視覚的に区別するために前記レイアウト設計データを修正するステップと、
をさらに含む、請求項２２から請求項２９のいずれか１項に記載の方法。
【請求項３１】
表示された修正された前記レイアウト設計データを使用して、前記レイアウト設計データをデバッグするステップをさらに含む、請求項２２から請求項３０のいずれか１項に記載の方法。
【請求項３２】
修正された前記レイアウト設計データを前記レイアウト設計解析プロセスの結果とともに表示するステップをさらに含む、請求項２２から請求項３１のいずれか１項に記載の方法。
【請求項３３】
前記レイアウト設計データにおいて前記パラメータを視覚的に示すために前記レイアウト設計データを修正するステップが、前記レイアウト設計データに１又はそれ以上のマーカーを追加するステップを含む、請求項２２から請求項３２のいずれか１項に記載の方法。
【請求項３４】
前記１又はそれ以上のマーカーが、前記パラメータのためのコンテキスト情報を含む、請求項３３に記載の方法。
【請求項３５】
前記レイアウト設計データにおいて前記パラメータを視覚的に示すために前記レイアウト設計データを修正するステップは、前記パラメータに関連する幾何学的要素の少なくとも一部を修正するステップを含む、請求項２２から請求項３４のいずれか１項に記載の方法。
【請求項３６】
レイアウト設計データをデバッグする方法であって、
レイアウト設計解析プロセスで使用されるパラメータのサブセットの選択を受信するステップと、
前記レイアウト設計データにおいて前記パラメータのサブセットを視覚的に示すために前記レイアウト設計データを修正するステップと、
修正されたレイアウト設計データを、該レイアウト設計データをデバッグする際に使用するために、表示するステップと、
を含む方法。
【請求項３７】
前記パラメータのサブセットの前記受信された選択に基づいて、レイアウト設計解析プロセスで使用されるパラメータを選択的に記録するステップをさらに含む、請求項３６に記載の方法。
【請求項３８】
レイアウト設計解析プロセスで使用される前記パラメータを記録するステップと、
前記レイアウト設計データ内のパラメータの前記サブセットを視覚的に示すために前記レイアウト設計データを選択的に修正するステップと、
をさらに含む、請求項３６に記載の方法。
【請求項３９】
前記レイアウト設計データにおいて前記パラメータを視覚的に示すためのマーカーを含むように前記レイアウト設計データを修正するステップと、
前記選択されたパラメータのサブセットを視覚的に示すための前記マーカーのみを表示するステップと、
をさらに含む、請求項３６に記載の方法。
【請求項４０】
コンピュータによって実行されたときに該コンピュータに請求項１〜請求項３９のいずれか１項に記載の方法を実行させるコンピュータ実行可能命令を記憶する１又はそれ以上のコンピュータにより読み取り可能な媒体。
【請求項４１】
請求項１から請求項３９のいずれか１項に記載の方法を実行するように構成された電子設計自動化システム。